(57)【要約】      （修正有）【課題】イベントに参加するユーザに対し、適正な料金設定及び公正な課金等で画像データを提供するサーバ装置等を提供する。【解決手段】予め定められた条件を具備する通信端末装置からの要求に基づいて、所定のイベントにてユーザが通信端末装置によって撮影して生成された画像データであって、かつ、当該ユーザが保存を希望する保存対象画像のデータを保存対象画像データとして、撮影した際の撮影条件を示す撮影条件情報ととともに、通信端末装置から受信する。そして、受信された保存対象画像データをデータベースに保存する。また、受信された撮影条件情報から撮影条件を取得し、当該取得した撮影条件に応じて保存対象画像データに基づく撮影料を算出し、算出された撮影料をユーザに提供する。【選択図】図１
2015061183.tif 000002
【特許請求の範囲】
【請求項１】
予め定められた条件を具備する通信端末装置からの要求に基づいて、所定のイベントにてユーザが前記通信端末装置によって撮影して生成された画像データであって、かつ、当該ユーザが保存を希望する保存対象画像のデータを保存対象画像データとして、撮影した際の撮影条件を示す撮影条件情報ととともに、前記通信端末装置から受信する画像受信手段と、
前記受信された保存対象画像データをデータベースに保存する画像保存手段と、
前記受信された撮影条件情報から撮影条件を取得し、当該取得した撮影条件に応じて前記保存対象画像データに基づく撮影料を算出する算出手段と、
前記算出された撮影料を前記ユーザに提供する提供手段と、
を備えることを特徴とするサーバ装置。
【請求項２】
請求項１に記載のサーバ装置において、
前記画像保存手段は、ユーザの保存許可指示を前記通信端末装置から受信した際に、前記受信された保存対象画像データを保存する、サーバ装置。
【請求項３】
請求項１又は２に記載のサーバ装置において、
前記画像保存手段が、前記保存対象画像データを前記データベースに保存した場合に、前記算出された撮影料を前記ユーザに対して課金する課金手段を備える、サーバ装置。
【請求項４】
請求項１〜３のいずれか１項に記載のサーバ装置において、
前記画像保存手段が、前記受信された保存対象画像データを保存した後、前記通信端末装置に記録された前記保存対象画像データを削除するための制御を実行する、サーバ装置。
【請求項５】
請求項１〜４のいずれか１項に記載のサーバ装置において、
前記撮影条件が、前記通信端末装置を用いてユーザが撮影した時刻である、サーバ装置。
【請求項６】
請求項１〜４のいずれか１項に記載のサーバ装置において、
前記撮影条件が、ユーザが撮影した際の前記通信端末装置の現実空間上の位置である、サーバ装置。
【請求項７】
請求項１〜４のいずれか１項に記載のサーバ装置において、
前記撮影条件が、ユーザが撮影した際の前記通信端末装置の向きである、サーバ装置。
【請求項８】
請求項１〜４のいずれか１項に記載のサーバ装置において、
前記撮影条件が、ユーザが撮影した際の周囲の明るさある、サーバ装置。
【請求項９】
請求項１に記載のサーバ装置において、
前記画像保存手段は、ユーザの保存不許可指示を前記通信端末装置から受信した場合には、前記受信された保存対象画像データを破棄する、サーバ装置。
【請求項１０】
請求項９に記載のサーバ装置において、
前記画像保存手段が、前記受信された保存対象画像データを破棄した場合には、前記算出された撮影料を前記ユーザから課金しない、サーバ装置。
【請求項１１】
請求項９又は１０に記載のサーバ装置において、
前記画像保存手段が、前記受信された保存対象画像データを破棄した後、前記通信端末装置に記録された前記保存対象画像データを削除するための制御を実行する、サーバ装置。
【請求項１２】
通信端末装置に情報を提供するサーバ装置を、
予め定められた条件を具備する通信端末装置からの要求に基づいて、所定のイベントにてユーザが前記通信端末装置によって撮影して生成された画像データであって、かつ、当該ユーザが保存を希望する保存対象画像のデータを保存対象画像データとして、撮影した際の撮影条件を示す撮影条件情報ととともに、前記通信端末装置から受信する画像受信手段、
前記受信された保存対象画像データをデータベースに保存する画像保存手段、
前記受信された撮影条件情報から撮影条件を取得し、当該取得した撮影条件に応じて前記保存対象画像データに基づく撮影料を算出する算出手段、
前記算出された撮影料を前記ユーザに提供する提供手段、
として機能させることを特徴とするプログラム。
【請求項１３】
ネットワークと、前記ネットワークに接続された通信端末装置と、前記ネットワークに接続され、かつ前記通信端末装置との間で情報の教授を行うサーバ装置と、を有する通信システムであって、
前記サーバ装置は、
予め定められた条件を具備する通信端末装置からの要求に基づいて、所定のイベントにてユーザが前記通信端末装置によって撮影して生成された画像データであって、かつ、当該ユーザが保存を希望する保存対象画像のデータを保存対象画像データとして、撮影した際の撮影条件を示す撮影条件情報ととともに、前記通信端末装置から受信する画像受信手段と、
前記受信された保存対象画像データをデータベースに保存する画像保存手段と、
前記受信された撮影条件情報から撮影条件を取得し、当該取得した撮影条件に応じて前記保存対象画像データに基づく撮影料を算出する算出手段と、
前記算出された撮影料を前記ユーザに提供する提供手段と、
を備えることを特徴とする通信システム。
【請求項１４】
予め定められた条件を具備する通信端末装置からの要求に基づいて、所定のイベントにてユーザが前記通信端末装置によって撮影して生成された画像データであって、かつ、当該ユーザが保存を希望する保存対象画像のデータを保存対象画像データとして、撮影した際の撮影条件を示す撮影条件情報ととともに、前記通信端末装置から受信する画像受信工程と、
前記受信された保存対象画像データをデータベースに保存する画像保存工程と、
前記受信された撮影条件情報から撮影条件を取得し、当該取得した撮影条件に応じて前記保存対象画像データに基づく撮影料を算出する算出工程と、
前記算出された撮影料を前記ユーザに提供する提供工程と、
を含むことを特徴とする通信方法。
【発明の詳細な説明】
【技術分野】
【０００１】
本発明は、通信端末装置と連動して情報の送受信を行うサーバ装置及びそのプログラム、通信システム並びに通信方法に関する。
【背景技術】
【０００２】
近年、ＷＷＷ（Ｗｏｒｌｄ  Ｗｉｄｅ  Ｗｅｂ）などのネットワーク技術の発展及びスマートフォンなどに代表される携帯型情報通信端末装置の進歩に伴い、仮想空間上におけるコミュニケーションツールとしてソーシャルネットワーキングサービス（以下、「ＳＮＳ」と略称する。）や電子掲示板に代表されるインターネットコミュニティが普及し、それらの利用者の数も年々増加している。
【０００３】
例えば、ＳＮＳは、ＷＷＷ上の仮想空間において、人々が自身の経歴及び顔写真の他に、お気に入りの写真、趣味嗜好、日記、勤務先、職業、居住地等の各情報を公開すること、公開した情報を他人と共有すること、及び、公開した情報に基づいて友人を募り交流を深める道具として用いることができるようになっている。また、ＳＮＳは、画像の共有をも手軽に行えるように構成されている。
【０００４】
最近、イベントの参加者（以下、「ユーザ」ともいう。）がまだ参加していない多数の人にイベントをＳＮＳで紹介させて口コミでの広告宣伝をさせつつ、ユーザのイベント参加に対する満足度を向上させるため、ユーザに対して撮影を許可するイベントが増えつつある。一方、イベントの主催者は、ユーザに対してイベントの撮影を許可する見返りとして、その撮影に対する撮影料を徴収したい場合がある。
【０００５】
近年、課金対象物を撮影した際に当該撮影に対する撮影料の徴収を行い、撮影料の徴収が終了した後に撮影画像の保存および送信を許可する、携帯端末に搭載される撮影制御装置（例えば、特許文献１）が提案されている。
【０００６】
特許文献１に記載の撮影制御装置においては、ＧＰＳにより取得した現在位置情報が課金対象撮影地域の位置情報と一致する場合に、課金対象撮影地域での撮影に対する撮影料の徴収を行い、撮影料の徴収が終了した後に撮影画像の保存および送信を許可するように構成されている。
【先行技術文献】
【特許文献】
【０００７】
【特許文献１】特開２００９−２２４８９９号公報
【発明の概要】
【発明が解決しようとする課題】
【０００８】
しかしながら、上記特許文献１に開示された撮影制御装置にあっては、いかなる撮影条件であっても一律の撮影料が課金されるため、撮影位置や撮影対象物などユーザによっては撮影条件を選択することが難しい場合が有り、その場合には、ユーザに不満が生じる場合もある。
【０００９】
本発明は、上記課題を解決するためになされたものであり、その目的は、イベントに参加するユーザが撮影対象を撮影する際の撮影条件に応じて当該撮影に関する撮影料を変化させることができるので、適正な料金設定及び公正な課金等を実現することができるとともに、ユーザの不満を解消し、その満足度を向上させることが可能なサーバ装置等を提供することにある。
【課題を解決するための手段】
【００１０】
（１）上述した課題を解決するため、本発明のサーバ装置は、予め定められた条件を具備する通信端末装置からの要求に基づいて、所定のイベントにてユーザが前記通信端末装置によって撮影して生成された画像データであって、かつ、当該ユーザが保存を希望する保存対象画像のデータを保存対象画像データとして、撮影した際の撮影条件を示す撮影条件情報ととともに、前記通信端末装置から受信する画像受信手段と、前記受信された保存対象画像データをデータベースに保存する画像保存手段と、前記受信された撮影条件情報から撮影条件を取得し、当該取得した撮影条件に応じて前記保存対象画像データに基づく撮影料を算出する算出手段と、前記算出された撮影料を前記ユーザに提供する提供手段と、を備える構成を有している。
【００１１】
この構成により、本発明のサーバ装置は、ユーザが保存を希望する画像の撮影条件に応じて、該画像の撮影料を算出し、当該算出した撮影料をユーザに提供することができるので、イベントに参加するユーザが撮影対象を撮影する際の撮影条件に応じて当該撮影に関する撮影料を変化させることができる。
【００１２】
したがって、本発明のサーバ装置は、撮影対象からの遠近や撮影時の明るさ又は時間帯などの撮影条件に基づいて撮影料を変化させることができるので、適正な料金設定及び公正な課金等を実現することができるとともに、ユーザの不満を解消し、その満足度を向上させることができる。
【００１３】
（２）また、本発明のサーバ装置は、前記画像保存手段は、ユーザの保存許可指示を前記通信端末装置から受信した際に、前記受信された保存対象画像データを保存する構成を有している。
【００１４】
この構成により、本発明のサーバ装置は、ユーザの保存許可に応じて画像データを保存し、ユーザが保存を希望する画像データに対して撮影料を算出することができるので、不要な画像データを記憶せずに破棄するなど、ユーザの画像データに対する取捨選択を実施させ、その管理を行うことができる。
【００１５】
したがって、本発明のサーバ装置は、画像データの保存に対する費用対効果を検討させることができるので、イベント撮影におけるユーザの利便性を向上させることができる。
【００１６】
（３）また、本発明のサーバ装置は、前記画像保存手段が、前記保存対象画像データを前記データベースに保存した場合に、前記算出された撮影料を前記ユーザに対して課金する課金手段を備える構成を有している。
【００１７】
この構成により、本発明のサーバ装置は、画像データが保存されれば、撮影料をユーザに対して課金することができるので、当該撮影料に対する課金を効率よく、かつ、的確に実施することができる。
【００１８】
（４）また、本発明のサーバ装置は、前記画像保存手段が、前記受信された保存対象画像データを保存した後、前記通信端末装置に記録された前記保存対象画像データを削除するための制御を実行する構成を有している。
【００１９】
この構成により、本発明のサーバ装置は、画像データの保存に応じて通信端末装置に記録された同一画像データを消去することができるので、未課金の画像データの保存及びそれに伴う当該画像データの流出など不正を防止することができる。
【００２０】
（５）また、本発明のサーバ装置は、前記撮影条件が、前記通信端末装置を用いてユーザが撮影した時刻を含む構成を有している。
【００２１】
この構成により、本発明のサーバ装置は、ユーザが画像の撮影を行った時刻に応じて該画像の撮影料を変化させることができるので、例えば、明るい時間帯の撮影料を高額にし、イベント終盤の盛り上がる時間帯の撮影料を高額にし、又は、イベント中のサプライズが起こる時間帯を高額にするなど、適正な料金設定及び公正な課金等を実現することができるとともに、ユーザの不満を解消し、その満足度を向上させることができる。
【００２２】
（６）また、本発明のサーバ装置は、前記撮影条件が、ユーザが撮影した際の前記通信端末装置の現実空間上の位置を含む構成を有している。
【００２３】
この構成により、本発明のサーバ装置は、ユーザが画像の撮影を行った位置に応じて該画像の撮影料を変化させることができるので、撮影対象から遠い位置からの撮影に対しては低額にするなど、適正な料金設定及び公正な課金等を実現することができるとともに、ユーザの不満を解消し、その満足度を向上させることができる。
【００２４】
（７）また、本発明のサーバ装置は、前記撮影条件が、ユーザが撮影した際の前記通信端末装置の向きを含む構成を有している。
【００２５】
この構成により、本発明のサーバ装置は、ユーザが画像の撮影を行った通信端末装置の向きに応じて該画像の撮影料を変化させることができるので、イベント会場を遠くの上部の客席から撮影し、撮影する際の通信端末装置の向きが下向きの場合に低額にするなど、適正な料金設定及び公正な課金等を実現することができるとともに、ユーザの不満を解消し、その満足度を向上させることができる。
【００２６】
（８）また、本発明のサーバ装置は、前記撮影条件が、ユーザが撮影した際の周囲の明るさを含む構成を有している。
【００２７】
この構成により、本発明のサーバ装置は、ユーザが画像の撮影を行った周囲の明るさに応じて該画像の撮影料を変化させることができるので、例えば、明るい時間帯の撮影料を高額にし、適正な料金設定及び公正な課金等を実現することができるとともに、ユーザの不満を解消し、その満足度を向上させることができる。
【００２８】
（９）また、本発明のサーバ装置は、前記画像保存手段は、ユーザの保存不許可指示を前記通信端末装置から受信した場合には、前記受信された保存対象画像データを破棄する構成を有している。
【００２９】
この構成により、本発明のサーバ装置は、ユーザの保存不許可に応じて画像データを消去することができるので、ユーザが保存を希望する画像データのみを管理することができるので、未課金の画像データの保存及びそれに伴う当該画像データの流出など不正を防止することができる。
【００３０】
（１０）また、本発明のサーバ装置は、前記画像保存手段が、前記受信された保存対象画像データを破棄した場合には、前記算出された撮影料を前記ユーザから課金しない構成を有している。
【００３１】
この構成により、本発明のサーバ装置は、保存した画像データのみに基づいて算出した撮影料をユーザに対して課金することになり、不要な画像データに対するユーザへの課金が発生しないので、ユーザの不満を解消し、その満足度を向上させることができる。
【００３２】
（１１）また、本発明のサーバ装置は、前記画像保存手段が、前記受信された保存対象画像データを破棄した後、前記通信端末装置に記録された前記保存対象画像データを削除するための制御を実行する構成を有している。
【００３３】
この構成により、本発明のサーバ装置は、画像データの破棄に応じて通信端末装置に記録された同一画像データを消去させることができるので、未課金の画像データの保存及びそれに伴う当該画像データの流出など不正を防止することができる。
【００３４】
（１２）また、上述した課題を解決するため、本発明のプログラムは、通信端末装置に情報を提供するサーバ装置を、予め定められた条件を具備する通信端末装置からの要求に基づいて、所定のイベントにてユーザが前記通信端末装置によって撮影して生成された画像データであって、かつ、当該ユーザが保存を希望する保存対象画像のデータを保存対象画像データとして、撮影した際の撮影条件を示す撮影条件情報ととともに、前記通信端末装置から受信する画像受信手段、前記受信された保存対象画像データをデータベースに保存する画像保存手段、前記受信された撮影条件情報から撮影条件を取得し、当該取得した撮影条件に応じて前記保存対象画像データに基づく撮影料を算出する算出手段、前記算出された撮影料を前記ユーザに提供する提供手段、として機能させる構成を有している。
【００３５】
この構成により、本発明のプログラムは、サーバ装置によって、ユーザが保存を希望する画像の撮影条件に応じて、該画像の撮影料を算出し、当該算出した撮影料をユーザに提供することができるので、イベントに参加するユーザが撮影対象を撮影する際の撮影条件に応じて当該撮影に関する撮影料を変化させることができる。
【００３６】
したがって、本発明のプログラムは、サーバ装置によって、撮影対象からの遠近や撮影時の明るさ又は時間帯などの撮影条件に基づいて撮影料を変化させることができるので、適正な料金設定及び公正な課金等を実現することができるとともに、ユーザの不満を解消し、その満足度を向上させることができる。
【００３７】
（１３）また、上述した課題を解決するため、本発明の通信システムは、ネットワークと、前記ネットワークに接続された通信端末装置と、前記ネットワークに接続され、かつ前記通信端末装置との間で情報の教授を行うサーバ装置と、を有する通信システムであって、前記サーバ装置は、予め定められた条件を具備する通信端末装置からの要求に基づいて、所定のイベントにてユーザが前記通信端末装置によって撮影して生成された画像データであって、かつ、当該ユーザが保存を希望する保存対象画像のデータを保存対象画像データとして、撮影した際の撮影条件を示す撮影条件情報ととともに、前記通信端末装置から受信する画像受信手段と、前記受信された保存対象画像データをデータベースに保存する画像保存手段と、前記受信された撮影条件情報から撮影条件を取得し、当該取得した撮影条件に応じて前記保存対象画像データに基づく撮影料を算出する算出手段と、前記算出された撮影料を前記ユーザに提供する提供手段と、を備える構成を有している。
【００３８】
この構成により、本発明の通信システムは、ユーザが保存を希望する画像の撮影条件に応じて、該画像の撮影料を算出し、当該算出した撮影料をユーザに提供することができるので、イベントに参加するユーザが撮影対象を撮影する際の撮影条件に応じて当該撮影に関する撮影料を変化させることができる。
【００３９】
したがって、本発明の通信システムは、撮影対象からの遠近や撮影時の明るさ又は時間帯などの撮影条件に基づいて撮影料を変化させることができるので、適正な料金設定及び公正な課金等を実現することができるとともに、ユーザの不満を解消し、その満足度を向上させることができる。
【００４０】
（１４）また、上述した課題を解決するため、本発明の通信方法は、予め定められた条件を具備する通信端末装置からの要求に基づいて、所定のイベントにてユーザが前記通信端末装置によって撮影して生成された画像データであって、かつ、当該ユーザが保存を希望する保存対象画像のデータを保存対象画像データとして、撮影した際の撮影条件を示す撮影条件情報ととともに、前記通信端末装置から受信する画像受信工程と、前記受信された保存対象画像データをデータベースに保存する画像保存工程と、前記受信された撮影条件情報から撮影条件を取得し、当該取得した撮影条件に応じて前記保存対象画像データに基づく撮影料を算出する算出工程と、前記算出された撮影料を前記ユーザに提供する提供工程と、を含む構成を有している。
【００４１】
この構成により、本発明の通信方法は、ユーザが保存を希望する画像の撮影条件に応じて、該画像の撮影料を算出し、当該算出した撮影料をユーザに提供することができるので、イベントに参加するユーザが撮影対象を撮影する際の撮影条件に応じて当該撮影に関する撮影料を変化させることができる。
【００４２】
したがって、本発明の通信方法は、撮影対象からの遠近や撮影時の明るさ又は時間帯などの撮影条件に基づいて撮影料を変化させることができるので、適正な料金設定及び公正な課金等を実現することができるとともに、ユーザの不満を解消し、その満足度を向上させることができる。
【発明の効果】
【００４３】
本発明に係るサーバ装置、プログラム、通信システム及び通信方法は、イベントに参加するユーザが撮影対象を撮影する際の撮影条件に応じて当該撮影に関する撮影料を変化させることができるので、適正な料金設定及び公正な課金等を実現することができるとともに、ユーザの不満を解消し、その満足度を向上させることができる。
【図面の簡単な説明】
【００４４】
【図１】本発明の一実施形態における通信システムの構成を示すシステム構成図である。
【図２】一実施形態における通信端末装置の構成を示すブロック図である。
【図３】一実施形態におけるサーバ装置の構成を示すブロック図である。
【図４】一実施形態におけるサーバ装置内の撮影料金算定基準データベースに記録されるイベント情報の一例を示す図である。
【図５】一実施形態におけるサーバ装置内の撮影料金算定基準データベースに記録される各イベントでの各種撮影条件に対する算定基準を示すデータの一例を示す図である。
【図６】一実施形態の通信システムにおいて実行される各処理を示すフローチャート（その１）である。
【図７】一実施形態の通信システムにおいて実行される各処理を示すフローチャート（その２）である。
【図８】一変形例におけるイベント会場の各位置における周囲の明るさとイベントが実施される位置からの距離を考慮して設定された撮影基準料金に掛け合わせる係数を示す図である。
【発明を実施するための形態】
【００４５】
以下、図面を参照しつつ、本発明の実施形態について説明する。なお、以下の実施形態は、通信端末装置と、当該通信端末装置とネットワークを介して接続されるサーバ装置と、を有する通信システムに対し、本発明に係る、サーバ装置、プログラム及び通信システムを適用した場合の実施形態である。
【００４６】
［１］通信システムの構成及び概要
まず、図１を用いて本実施形態における通信システム１の構成及び概要について説明する。なお、図１は、本実施形態における通信システム１の構成を示すシステム構成図である。また、図が煩雑になることを防止するために、図１においては、一部のユーザが所有する通信端末装置のみを示している。すなわち、実際の通信システム１においては、表示するよりも多数のユーザ及び通信端末装置が存在している。
【００４７】
本実施形態の通信システム１は、イベントに参加する参加者（すなわち、ユーザ）が撮像対象を撮像する際の撮影条件に応じて当該画像に対する撮影料を算出し、当該算出した撮影料を算出し、当該算出した撮影料をユーザに提供することができるシステムであり、撮影条件に応じて当該撮影に関する撮影料を変化させることによって、撮影対象からの遠近や撮影時の明るさ又は時間帯などの撮影条件に基づいて撮影料を変化させることができるので、適正な料金設定及び公正な課金等を実現すること、及び、ユーザの不満を解消し、その満足度を向上させることが可能なシステムである。
【００４８】
具体的には、本実施形態の通信システム１は、図１に示すように、ＳＮＳの各ユーザによってそれぞれ所持される、複数の通信端末装置１０と、ネットワーク２０と、サーバ装置３０と、ＧＰＳ（Ｇｌｏｂａｌ  Ｐｏｓｉｔｉｏｎｉｎｇ  Ｓｙｓｔｅｍ）衛星４０と、決済サーバ装置５０と、ネットワーク２０に接続された基地局ＢＳと、を有している。
【００４９】
なお、ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。
【００５０】
通信端末装置１０は、通信機能及び撮影機能を有し、ユーザによって携帯可能な装置、例えば、スマートフォン、携帯用電話機、タブレット型情報端末装置、通信機能付デジタルカメラ、携帯型ゲーム機などである。なお、本実施携帯の通信端末装置１０は、ＧＰＳ（Ｇｌｏｂａｌ  Ｐｏｓｉｔｉｏｎｉｎｇ  Ｓｙｓｔｅｍ）機能、周囲の明るさを計測する機能又は画像の輝度から周囲の明るさを推定する機能、及びジャイロセンサ等による通信端末装置１０の向きを計測する機能を有していることが望ましいが、全ての機能を有する必要はなく、一部の機能を有するものであってもよい。なお、周囲の明るさを計測する機能としては、照度計のように明るさを計測できる機能を有するものであればどのようなものでもよい。
【００５１】
また、通信端末装置１０は、ＸＭＬ（ｅＸｔｅｎｓｉｂｌｅ  Ｍａｒｋｕｐ  Ｌａｎｇｕａｇｅ）等のマークアップ言語によって記述されているＷＷＷシステム用のリソースデータと、当該リソースデータのネットワークアドレスを示す固有のＵＲＬ（Ｕｎｉｆｏｒｍ  Ｒｅｓｏｕｒｃｅ  Ｌｏｃａｔｏｒ）とを用いつつ、サーバ装置３０とのデータ通信を行うブラウジング機能を有している。
【００５２】
そして、通信端末装置１０は、ＳＮＳの種々の機能を利用するための、または、サーバ装置３０との間で通信を行うために予め定められた通信端末装置１０毎に固有の識別情報（以下、単に「ＩＤ」という。）を用いる。また、通信端末装置１０は、ブラウジング機能を用いて、サーバ装置３０から受信したＸＭＬデータに基づいてサーバ装置３０との間で情報の教授を行うとともに、基地局ＢＳ及びネットワーク２０を介してサーバ装置３０と通信接続しつつ、サーバ装置３０からＳＮＳのサービス提供を受けるようになっている。なお、サーバ装置３０との間で情報の教授は、予め定められた条件、例えばログイン条件を具備し、ログインされた通信端末装置１０に対して認められるようになっている。
【００５３】
一方、通信端末装置１０は、レンズ等を含む光学系及び撮像素子を有する撮像部を備え、画像撮影を実行可能に構成されている。具体的には、通信端末装置１０は、イベントを撮影するためのアプリケーション（以下、「イベント撮影アプリケーション」という。）を用いて、イベントにてユーザが被写体の画像撮影を行うことにより、撮像部の出力に基づいて、画像データを生成して所定の内部領域に記憶する構成を有している。
【００５４】
特に、本実施形態においては、通信端末装置１０は、当該画像データを、ユーザが保存を希望する保存対象画像のデータを保存対象画像データとして生成し、生成した保存対象画像データを通信端末装置１０が備え、ユーザがアクセス不可能な記憶領域（メモリなどの記憶領域の一部であって、後述するアクセス不可領域１０４）に一時的に記録するように構成されている。
【００５５】
また、通信端末装置１０は、撮影時刻、現在位置、向き、周囲の明るさなどの、保存対象画像を撮影した際の撮影条件を収集し、当該収集した撮影条件を示す撮影条件情報を、保存対象画像データとともに、サーバ装置３０に送信するように構成されている。
【００５６】
サーバ装置３０は、ＳＮＳの各サービスを提供するために用いられる。特に、サーバ装置３０は、保存対象画像データを通信端末装置１０から受信すると、当該保存対象画像データをデータベースに保存するように構成されている。本実施形態では、保存対象画像データを保存するデータベース（後述する記録装置３３０）をサーバ装置３０内に設けているが、サーバ装置３０とはネットワーク上において別個独立に構成してもよい。
【００５７】
また、サーバ装置３０は、通信端末装置１０から保存対象画像データとともに受信された撮影条件情報から撮影条件を取得し、取得した撮影条件に応じて保存対象画像データに基づく撮影料を算出するように構成されている。
【００５８】
そして、サーバ装置３０は、算出された撮影料を、保存対象画像データの送信先である通信端末装置１０の画面に表示させてユーザに提供できるように、当該撮影料の情報を通信端末装置１０に送信するように構成されている。
【００５９】
一方、本実施形態において、サーバ装置３０は、保存対象画像データをデータベースに保存した場合に、保存対象画像データを保存した旨を通信端末装置１０に送信し、撮影料をユーザに対して課金する課金処理を行い、保存対象画像データを破棄した場合には、撮影料をユーザから課金しないように構成されている。
【００６０】
決済サーバ装置５０は、ネットワーク２０に接続されたコンピュータシステムであり、ネットワーク２０を介してサーバ装置３０と接続されるとともに、サーバ装置３０から定期的に送信される、課金料金、課金対象者の口座情報又はクレジットカード情報などの課金情報に基づいて、決済処理を行うように構成されている。
【００６１】
なお、決済サーバ装置５０は、ユーザによって予め登録された、通信端末装置１０のＩＤ、該通信端末装置１０の所有者名、及び、その所有者の口座情報又はクレジットカード情報等の顧客情報を有しており、その顧客情報は、図示しないデータベースに記録されている。
【００６２】
本実施形態において、通信システム１は、決済サーバ装置５０を備えているが、決済サーバ装置５０を備えていなくてもよい。この場合には、撮影料の課金は、例えば、イベント会場から退場する際に、通信端末装置１０のアプリケーションによって記憶及び提示させられ、その金額の支払いを行うことによって実行される。
【００６３】
上述したような構成を有することによって、本実施形態における通信システム１は、ユーザが保存を希望する画像の撮影条件に応じて、該画像の撮影料を算出し、当該算出した撮影料をユーザに提供することができるので、イベントに参加するユーザが撮影対象を撮影する際の撮影条件に応じて当該撮影に関する撮影料を変化させることができる。したがって、通信システム１は、撮影対象からの遠近や撮影時の明るさ又は時間帯などの撮影条件に基づいて撮影料を変化させることができるので、適正な料金設定及び公正な課金等を実現することができるとともに、ユーザの不満を解消し、その満足度を向上させることができる。
【００６４】
すなわち、本実施形態の通信システム１は、通信端末装置１０から保存対象画像データと、ユーザが画像の撮影を行った時刻、ユーザが画像の撮影を行った位置、ユーザが画像の撮影を行った通信端末装置の向き、ユーザが画像の撮影を行った周囲の明るさなどの撮影条件とを受信することにより、これらの撮影条件に応じて該画像の撮影料を変化させることができるようになっている。
【００６５】
例えば、通信システム１は、
（１）昼間や晴れた日などの周囲が明るい時間帯の撮影料を高額にすること、
（２）野外コンサートなどイベント終盤の盛り上がる時間帯の撮影料を高額にすること、
（３）イベント中のサプライズ演出が実行される時間帯を高額にすること、
（４）撮影対象から遠い位置からの撮影に対しては低額にすること、又は、
（５）イベント会場を遠くの上部の客席から撮影し、撮影する際の通信端末装置の向きが下向きの場合に低額にすること、
など、適正な料金設定及び公正な課金等を実現することができるとともに、ユーザの不満を解消し、その満足度を向上させることができる。
【００６６】
また、通信システム１は、ユーザの指示に基づいて、保存対象画像データを記憶せずに破棄することもできるようになっており、その場合には、撮影料をユーザから課金しないことから、保存した画像データのみに基づいて算出した撮影料をユーザに対して課金することになり、不要な画像データに対するユーザへの課金が発生しないので、ユーザの不満を解消し、その満足度を向上させることができる。
【００６７】
特に、通信システム１においては、通信端末装置１０からユーザの保存許可指示を受信した場合に、ユーザの保存許可に応じて画像データを保存し、ユーザが保存を希望する画像データに対して撮影料を算出することができるので、不要な画像データを記憶せずに破棄するので、ユーザの画像データに対する取捨選択を実施させ、その管理を行うことができる。
【００６８】
すなわち、通信システム１においては、不要な画像データに対するユーザへの課金が発生しないことから、画像データの保存に対する費用対効果を検討させることができるので、イベント撮影におけるユーザの利便性を向上させることができるとともに、画像データが保存されれば、撮影料をユーザに対して課金することができるので、当該撮影料に対する課金を効率よく、かつ、的確に実施することができる。
【００６９】
そして、通信システム１においては、未課金の画像データに不要な画像データを記憶せずに破棄し、又は、通信端末装置１０の如何なる記憶領域からも削除することもできるので、未課金の画像データの保存及びそれに伴う当該画像データの流出などの不正についても防止することができる。
【００７０】
［２］通信端末装置
次に、図２を用いて本実施形態の各通信端末装置１０の構成について説明する。なお、図２は、本実施形態の通信端末装置１０の構成を示す構成図である。
【００７１】
本実施形態の通信端末装置１０は、図２に示すように、記録部１００と、ネットワーク通信部１１０と、現在位置検出部１２０と、撮像部１３０と、角度検出部１３５と、端末データ処理部１４０と、表示部１５０と、表示制御部１６０と、操作部１７０と、端末管理制御部１８０と、を有している。なお、上記の各部は、バスＢによって相互に接続され、各構成要素間におけるデータの転送が実行される。
【００７２】
記録部１００は、例えば、ハードディスクドライブ（以下、「ＨＤＤ」と略す。）、又は、ＮＡＮＤ型、ＮＯＲ型等の不揮発性フラッシュメモリによって構成される。また、記録部１００は、ネットワーク通信部１１０、及び、端末管理制御部１８０のワークエリアとしてＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）も含まれる。
【００７３】
また、記録部１００は、アプリケーション記録部１０１と、画像データ記録部１０２と、を少なくとも含む。
【００７４】
アプリケーション記録部１０１には、イベント撮影アプリケーションなど端末データ処理部１４０、及び、端末管理制御部１８０によって実行される様々なアプリケーションプログラム（以下、「アプリケーション」という。）が記録されている他に、上記ブラウジング機能を実現するためのブラウザ用のプログラムも記録されている。また、アプリケーション記録部１０１には、ユーザ名、ＳＮＳのサービスを享受するためのユーザＩＤ、当該通信端末装置１０を一意に識別するための通信端末装置１０のＩＤ、当該ユーザの友人登録情報等を含むユーザ登録情報が記録されている。
【００７５】
画像データ記録部１０２は、ユーザがアクセス不可能なアクセス不可領域１０４を少なくとも有する。アクセス不可領域１０４には、イベント撮影アプリケーションの実行中に、画像データ生成部１４１が撮像部１３０の出力に基づいて生成した画像データ及び算出部１４２が算出した周囲の明るさ（画像から算出した輝度）のデータなど一時的に各種のデータが記録される。
【００７６】
ネットワーク通信部１１０は、基地局ＢＳの準拠する通信規格により、基地局ＢＳと無線通信チャネルを構築し、ネットワーク２０を経由して、サーバ装置３０と、各種データの授受を行う。特に、ネットワーク通信部１１０は、画像データ生成部１４１が生成した保存対象画像データと、保存対象画像を撮影した際の撮影条件の情報（すなわち、撮影条件情報）と、をサーバ装置３０へ送信する。
【００７７】
例えば、ネットワーク通信部１１０は、撮影条件情報として
（１）ユーザが撮影した際の時刻情報、
（２）現在位置検出部１２０が算出した、ユーザが撮影した際の通信端末装置１０の現実空間上の位置情報、
（３）角度検出部１３５が計測した、ユーザが撮影した際の通信端末装置１０の向き（傾き）の情報、及び
（４）算出部１４２が算出した周囲の明るさ情報
のいずれか、または２以上の情報の組み合わせを送信する。
【００７８】
また、ネットワーク通信部１１０は、サーバ装置３０への保存対象画像データと撮影条件情報との送信を行った後、サーバ装置３０から撮影条件に応じて算出された保存対象画像データに基づく撮影料の情報を受信する。ネットワーク通信部１１０は、受信した撮影料の情報をアクセス不可領域１０４に記録させるため、アクセル不可領域１０４に供給する。
【００７９】
なお、基地局ＢＳの準拠する通信規格はネットワーク２０の構成により変化する。例えば、ネットワーク２０が携帯電話網を含む場合に、３ＧＰＰ（３ｒｄ  Ｇｅｎｅｒａｔｉｏｎ  Ｐｅｒｔｎｅｒｓｈｉｐ  Ｐｒｏｊｅｃｔ）又は３ＧＰＰ２、ＬＴＥ（Ｌｏｎｇ  Ｔｅｒｍ  Ｅｖｏｌｕｔｉｏｎ）などの通信規格に準拠することになる。
【００８０】
現在位置検出部１２０は、所定のタイミング毎（例えば保存対象画像を撮影したタイミング毎）に通信端末装置１０の現実空間上の位置を検出しつつ、当該位置を示す位置情報を生成する。
【００８１】
例えば、現在位置検出部１２０は、所定のタイミングにおいて、図１に示すＧＰＳ（Ｇｌｏｂａｌ  Ｐｏｓｉｔｉｏｎｉｎｇ  Ｓｙｓｔｅｍ）衛星４０の位置を認識しつつ、当該ＧＰＳ衛星４０から送信された衛星信号（ＧＰＳ信号）を受信する。そして、現在位置検出部１２０は、当該受信したＧＰＳ信号に基づいて自機の現在位置の座標値（例えば、緯度及び経度）を算出し、当該座標値を現在の位置情報として端末データ処理部１４０に供給する。
【００８２】
なお、通信端末装置１０のネットワーク通信部１１０が、携帯電話機能を実現するチップセット、又は、ＩＥＥＥ８０２．１１系の各種ワイヤレスＬＡＮ（Ｗｉｒｅｌｅｓｓ  ｌｏｃａｌ  ａｒｅａ  ｎｅｔｗｏｒｋ）の通信プロトコルに従って、無線通信を行う機能を実現するチップセットを用いて構成されている場合には、現在位置検出部１２０は、これらの無線システム等において用いられる、三点測量法、すなわち、基地局ＢＳから受信した電波信号の方角と電波強度に基づいて自機の現在位置を検出してもよい。
【００８３】
撮像部１３０は、被写体を撮像するためのレンズ等の光学系及び撮像素子を有する。撮像素子の出力信号は端末データ処理部１４０へ送信される。
【００８４】
角度検出部１３５は、３Ｄジャイロセンサや３軸の加速度を検出する加速度センサ等により、通信端末装置１０の水平方向を基準として、水平角度、垂直角度及び回転角（水平方向を回転軸とした際の角度）の通信端末装置１０の３軸の向き（傾き）を計測する。
【００８５】
例えば、角度検出部１３５は、撮像部１３０が被写体を撮影したタイミングにおいて、通信端末装置１０の向き（傾き）を計測し、計測値（角度値）を端末データ処理部１４０に供給する。
【００８６】
端末データ処理部１４０は、アプリケーション記録部１０１に記録されているアプリケーションに応じて各種データ処理を実行する。特に、端末データ処理部１４０は、イベント撮影アプリケーションの起動時にイベントにてユーザが画像撮影を行うと、
（１）保存対象画像データを生成し、アクセス不可領域１０４に一時的に記録する処理、
（２）ユーザが撮影した際の時刻を取得する処理、
（３）ユーザが撮影した際の通信端末装置１０の現在の位置情報を現在位置検出部１２０に要求し、取得する処理、
（４）ユーザが撮影した際の通信端末装置１０の向き（傾き）の情報を角度検出部１３５に要求し、取得する処理、
（５）ユーザが撮影した際の周囲の明るさ情報を算出する処理、
（６）（２）〜（５）で取得及び算出した各種情報を撮影条件情報として保存対象画面データとともにサーバ装置３０へ送信する処理、
（７）サーバ装置３０から撮影条件に応じて算出された保存対象画像データに基づく撮影料の情報を受信する処理、
（８）保存対象画像と撮影料とを表示制御部１６０に供給し、保存対象画像と撮影料を示す表示データ、及び保存対象画像データを保存してもよいかどうかの選択を行う選択画面データの生成を指示する処理、
（９）ユーザによる保存の可否の選択入力を検出した場合に、その選択入力に基づいた指示をサーバ装置３０へ送信する処理、及び
（１０）サーバ装置３０から受信した保存対象画像データの削除要求に基づいて、アクセス不可領域１０４に記録されている保存対象画像データを削除する処理
を実行する。
【００８７】
また、端末データ処理部１４０は、画像データ生成部１４１と、算出部１４２と、画像データ処理部１４３と、を少なくとも含む。
【００８８】
画像データ生成部１４１は、撮像部１３０から受信した撮像素子の出力信号をＡＤ変換して画像データを生成する。特に、画像データ生成部１４１は、撮像部１３０が被写体を撮影した場合、撮影した画像のデータを保存対象画像データとして生成する。画像データ生成部１４１が生成した保存対象画像データは記録部１００へ送信される。
【００８９】
算出部１４２は、画像データ生成部１４１が保存対象画像データを生成した場合、当該保存対象画像データが示す保存対象画像から輝度を算出する。具体的には、算出部１４２は、保存対象画像データを解析してＲＧＢ値を算出した後、算出したＲＧＢ値を以下の（式１）に代入して保存対象画像の輝度値（Ｙ）を算出する。
【数１】
2015061183.tif 000003
【００９０】
画像データ処理部１４３は、アクセス不可領域１０４に一時的に記録された保存対象画像データを、ネットワーク通信部１１０を介してサーバ装置３０に送信されるように送信処理を実行する。また、画像データ処理部１４３は、サーバ装置３０から保存対象画像データの削除指示を受信すると、アクセス不可領域１０４に一時的に記録された保存対象画像データを削除する処理を行う。
【００９１】
本実施形態においては、端末データ処理部１４０が、サーバ装置３０から撮影料の情報を受信すると、表示制御部１６０は、画面を介してユーザに保存対象画像と撮影料を通知し、保存対象画像データを保存してもよいかどうかの選択を行う選択画面を表示させるように構成されている。
【００９２】
また、端末データ処理部１４０は、ユーザによる保存の可否の選択入力を検出した場合には、保存の可否の選択入力に基づいた指示をサーバ装置３０に送信する。具体的には、端末データ処理部１４０が、ユーザによる保存の許可の選択入力を検出した場合には、保存許可指示をサーバ装置３０に送信する。一方、端末データ処理部１４０が、ユーザによる保存の不許可の選択入力を検出した場合には、保存不許可指示をサーバ装置３０に送信する。
【００９３】
また、端末データ処理部１４０は、保存の可否の選択入力に基づいた指示の送信に応じてサーバ装置３０から保存対象画像データの削除指示を受信すると、アクセス不可領域１０４に一時的に記録された保存対象画像データを削除するように構成されている。
【００９４】
なお、端末データ処理部１４０は、保存許可指示の送信に応じてサーバ装置３０から保存対象画像データを保存した旨を受信すると、その旨を表示制御部１６０に通知し、表示制御部１６０によって、保存対象画像データがサーバ装置３０に保存されたことをユーザに知らせるための画面を表示するように構成されていてもよい。
【００９５】
表示部１５０は、例えば、液晶素子又は有機ＥＬ（Ｅｌｅｃｔｒｏ  Ｌｕｍｉｎｅｓｃｅｎｃｅ）素子のパネルによって構成され、表示制御部１６０において生成された表示データに基づいて所定の画像を表示する。
【００９６】
表示制御部１６０は、表示部１５０に表示させるために必要な表示データを生成するようになっており、生成された表示データを当該表示部１５０に出力する。特に、表示制御部１６０は、ネットワーク通信部１１０を介してサーバ装置３０から受信した撮影料と、保存対象画像とを示す表示データ、保存対象画像データを保存してもよいかどうかの選択を行う選択画面データ、保存対象画像データがサーバ装置３０に保存されたことを知らせるための表示データなどを生成する。
【００９７】
操作部１７０は、各種の確認ボタン、各操作指令を入力する操作ボタン、テンキーなどの多数のキー及びタッチパネルにより構成され、各操作を行う際に用いられるようになっている。
【００９８】
端末管理制御部１８０は、主に中央演算処理装置（ＣＰＵ）によって構成されるとともに、キー入力ポート、表示制御ポート等の各種入出力ポートを含み、記録部１００に記録された各種のアプリケーションを実行することにより、通信端末装置１０の全般的な機能を総括的に制御する。
【００９９】
特に、端末管理制御部１８０は、アプリケーション記録部１０１に記憶された各種アプリケーションに基づいて、各処理を実現する。例えば、端末管理制御部１８０は、操作部１７０に対するユーザの入力操作を認識すると、アプリケーション記録部１０１からユーザＩＤを読み出してＳＮＳへのログインを行う。また、端末管理制御部１８０は、サーバ装置３０のユーザ情報のデータベースを更新するために、アプリケーション記録部１０１に記録されているユーザ登録情報を、ネットワーク通信部１１０を介してサーバ装置３０に送信する。
【０１００】
［３］サーバ装置
次に、図３〜図５の各図を用いて本実施形態のサーバ装置３０の構成について説明する。なお、図３は、本実施形態のサーバ装置３０の構成を示すブロック図であり、図４は、本実施形態のサーバ装置３０内の撮影料金算定基準ＤＢ３３６に記録されるイベント情報の一例を示す図であり、図５は、本実施形態のサーバ装置３０内の撮影料金算定基準ＤＢ３３６に記録される各イベントでの各種撮影条件に対する算定基準を示すデータの一例を示す図ある。
【０１０１】
本実施形態のサーバ装置３０は、図３に示すように、通信制御部３１０と、ＲＯＭ／ＲＡＭ３２０と、記録装置３３０と、サーバデータ処理部３４０と、サーバ管理制御部３５０と、を有する。なお、上記の各部は、バスＢによって相互に接続され、各構成要素間におけるデータの転送が実行される。
【０１０２】
通信制御部３１０は、所定のネットワークインターフェースであり、通信端末装置１０や決済サーバ５０と通信チャネルを構築し、各種のデータの授受を行う。なお、例えば、通信制御部３１０は、本発明の送信手段を構成する。
【０１０３】
ＲＯＭ／ＲＡＭ３２０には、サーバ装置３０の駆動に必要な各種のプログラムが記録されている。また、ＲＯＭ／ＲＡＭ３２０には、サーバデータ処理部３４０、及び、サーバ管理制御部３５０によって実行される様々なアプリケーションが記録されている。そして、ＲＯＭ／ＲＡＭ３２０は、各種の処理が実行される際のワークエリアとして用いられる。
【０１０４】
サーバ管理制御部３５０は、主に中央演算処理装置（ＣＰＵ）によって構成され、プログラムを実行することによって、サーバ装置３０の各部を統合制御する。例えば、サーバ管理制御部３５０は、記録装置３３０と連動し、ユーザの操作による通信端末装置１０からのログイン要求に基づいて各ユーザのＳＮＳへのログイン処理を行う。
【０１０５】
記録装置３３０は、ＨＤＤにより構成され、その記録領域内に、少なくとも会員ＤＢ３３１と、画像ＤＢ３３２と、顧客情報ＤＢ３３５と、撮影料金算定基準ＤＢ３３６と、を有している。
【０１０６】
会員ＤＢ３３１は、ＳＮＳの各ユーザの情報を管理するための各種情報が格納されるデータベースである。例えば、会員ＤＢ３３１には、各ユーザに対応するユーザＩＤと、当該ユーザの名前を示すユーザ名情報と、が対応付けて登録（記録）される。
【０１０７】
画像ＤＢ３３２は、通信端末装置１０から送信された保存対象画像データを管理するための各種情報が格納されるデータベースである。なお、例えば、画像ＤＢ３３２は、本発明の記録手段を構成する。
【０１０８】
本実施形態の画像ＤＢ３３２は、ユーザがアクセス可能なアクセス可能領域３３３と、ユーザがアクセス不可能なアクセス不可領域３３４と、を少なくとも有する。
【０１０９】
例えば、アクセス不可領域３３４には、
（１Ａ）保存対象画像データを送信した通信端末装置１０のＩＤと、
（１Ｂ）当該保存対象画像データと、
（１Ｃ）ユーザが撮影した際の時刻情報、現在位置検出部１２０が算出した、ユーザが撮影した際の通信端末装置１０の現実空間上の位置情報、角度検出部１３５が計測した、ユーザが撮影した際の通信端末装置１０の向き（傾き）の情報、算出部１４２が算出した、ユーザが撮影した際の周囲の明るさ情報などの保存対象画像を撮影した際の撮影条件情報と、
が対応付けて登録（記録）される。
【０１１０】
また、例えば、アクセス可能領域３３３には、
（２Ａ）通信端末装置１０からユーザの保存許可指示を受信した場合に、アクセス不可領域３３４から転送される保存対象画像データと、
（２Ｂ）その保存対象画像データを送信した通信端末装置１０のＩＤと、
が対応付けて登録（記録）される。
【０１１１】
なお、保存対象画像データは、アクセス不可領域３３４には保存せず、通信端末装置１０からユーザの保存許可指示を受信した場合に、保存対象画像データをアクセス可能領域３３３に保存してもよい。
【０１１２】
顧客情報ＤＢ３３５は、顧客の情報を管理するための各種情報が格納されるデータベースである。例えば、顧客情報ＤＢ３３５には、顧客（ユーザ）名、顧客が有する通信端末装置１０に固有のＩＤ、そのＩＤに設定されたパスワード情報、顧客の口座情報又はクレジットカード情報などが対応付けて登録（記録）される。
【０１１３】
撮影料金算定基準ＤＢ３３６は、イベント情報、及び、保存対象画像に対する撮影料金を算定するための、各イベントでの各種撮影条件に対する算定基準を示すデータを格納する。例えば、撮影料金算定基準ＤＢ３３６には、イベント情報として、図４に示すように、
（１）各イベントに対応し、各イベントを識別するためのイベントＩＤと、
（２）各イベントの名称と、
（３）各イベントの開催日時の情報と、
（４）各イベントの終了日時の情報と、
（５）各イベントが実施される位置情報（例えば、イベントがコンサートである場合にはコンサートステージの位置情報、イベントが展示会である場合には展示物の位置情報）を示す緯度及び経度の情報と、
（６）各イベント会場の基準の明るさ情報と、
（７）各イベント会場で対象物を撮影した場合の通信端末装置１０の標準の向き（傾き）の情報と、
（８）各イベント会場で対象物を撮影した場合の保存対象画像の撮影基準料金情報と、
が対応付けて登録（記録）される。
【０１１４】
また、撮影料金算定基準ＤＢ３３６には、イベントでの各種撮影条件に対する算定基準を示すデータとして、図５に示すように、
（１）各イベントでの撮影条件を識別するための撮影条件ＩＤと、
（２）撮影条件の種類を示す情報と、
（３）撮影基準料金に掛け合わせる係数の情報と、
（４）上記係数となる撮影条件の範囲（例えば、各イベントにおける内容別の時間帯（具体的には、コンサートで各タレントが出場する時間帯）、各イベントが実施される位置からの距離範囲、対象物を撮影した場合の通信端末装置１０の向き（傾き）の範囲、対象物を撮影した際の周囲の明るさの範囲など）と、
が対応付けて登録（記録）される。
【０１１５】
なお、記録装置３３０の各ＤＢに格納される上述の情報の項目は一例であり、ＳＮＳのサービス、イベントで撮影した保存対象画像データの保存サービス等の状況にあわせて、上述の項目と別の項目がＤＢに追加されたり、上述の項目のうちのいくつかの項目が削除されたりしてもよい。
【０１１６】
サーバデータ処理部３４０は、ＲＯＭ／ＲＡＭ３２０に記録されているアプリケーションに応じて各種データ処理を実行する。特に、サーバデータ処理部３４０は、受信部３４１と、保存部３４２と、算出部３４３、撮影料金送信部３４４と、課金処理部３４５と、を含む。なお、例えば、本実施形態の、受信部３４１、保存部３４２、算出部３４３、撮影料金送信部３４４及び課金処理部３４５は、それぞれ本発明の受信手段、保存手段、算出手段、提供手段及び課金手段を構成する。
【０１１７】
受信部３４１は、通信端末装置１０から送信される保存対象画像データと撮影条件情報とを受信する。そして、受信部３４１は、受信した保存対象画像データと撮影条件情報を保存部３４２に出力する。
【０１１８】
また、受信部３４１は、各通信端末装置１０が送信した各種情報を、通信制御部３１０を介して受信する。例えば、受信部３４１は、
（１）ユーザが撮影した際の時刻情報、
（２）通信端末装置１００によって算出された、ユーザが撮影した際の通信端末装置１０の現実空間上の位置情報、
（３）通信端末装置１０によって計測された、ユーザが撮影した際の通信端末装置１０の向き（傾き）の情報、
（４）通信端末装置１０によって算出された、ユーザが撮影した際の周囲の明るさ情報、
（５）ユーザ登録情報（例えば、ユーザ名、ＳＮＳのサービスを享受するためのユーザＩＤ、そのユーザが有する通信端末装置１０に固有のＩＤ、当該ユーザの友人登録情報等を含むユーザ登録情報、ユーザＩＤや通信端末装置１０のＩＤに設定されたパスワード情報、当該ユーザの口座情報又はクレジットカード情報等）
などを通信端末装置１０から受信する。
【０１１９】
保存部３４２は、記録装置３３０を制御して、記録装置３３０の各種ＤＢを更新する。例えば、保存部３４２は、受信部３４１が受信した保存対象画像データを画像ＤＢ３３２のアクセス不可領域３３４に記録する。また、保存部３４２は、受信部３４１が取得したユーザ登録情報を用いて会員ＤＢ３３１や顧客情報ＤＢ３３５を更新したり、イベント主催者が設定したイベント情報及びイベントでの各種撮影条件に対する算定基準に基づいて撮影料金算定基準ＤＢを更新する。
【０１２０】
一方、保存部３４２は、受信部３４１が通信端末装置１０からユーザの保存許可指示を受信した場合には、保存対象画像データをアクセス不可領域３３４からアクセス可能領域３３３に転送して記録し、アクセス不可領域３３４に記録されている保存対象画像データを削除する。
【０１２１】
また、保存部３４２は、受信部３４１が通信端末装置１０からユーザの保存不許可指示を受信した場合には、アクセス不可領域３３４に記録されている保存対象画像データを破棄（削除）する。
【０１２２】
さらに、保存部３４２は、保存対象画像データを画像ＤＢ３３２に保存した場合、又は、保存対象画像データを破棄した場合に、通信端末装置１０のアクセス不可領域１０４に一時的に記録された保存対象画像データを削除するための制御を実行する。
【０１２３】
このように、サーバ装置３０においては、ユーザが保存を希望する画像データに対して撮影料を算出するために、通信端末装置１０からユーザの保存許可指示を受信した場合に、保存対象画像データをアクセス不可領域３３４からアクセス可能領域３３３に転送して記録（保存）することにより、ユーザの保存許可に応じて画像データを保存する。
【０１２４】
また、ユーザが保存を希望する画像データのみを管理し、及び、未課金の画像データの保存及びそれに伴う当該画像データの流出など不正を防止するため、通信端末装置１０からユーザの保存不許可指示を受信した場合に、アクセス不可領域３３４に記録されている保存対象画像データを破棄（削除）するとともに、通信端末装置１０のアクセス不可領域１０４に一時的に記録された保存対象画像データを削除するための制御を実行する。
【０１２５】
なお、保存対象画像データのアクセス許可領域３３３への保存処理は、通信端末装置１０がユーザに保存してもよいかどうかの確認を行わずに、通信端末装置１０から保存対象データを受信した際に強制的に行われるように構成してもよい。
【０１２６】
算出部３４３は、受信部３４１が受信した撮影条件情報から撮影条件を取得し、取得した撮影条件に応じて保存対象画像データに基づく撮影料を算出する。具体的には、イベント情報と、イベントでの各種撮影条件に対する算定基準を示すデータとを撮影料金算定基準ＤＢ３３６から読み出すとともに、取得した撮影条件が該当する係数をイベントでの各種撮影条件に対する算定基準を示すデータから確認し、イベント情報から撮影基準料金情報を確認し、撮影基準料金に係数を掛け合わせて保存対象画像データに基づく撮影料を算出する。
【０１２７】
例えば、通信端末装置１０がイベント撮影アプリケーションの起動時に、図４に示すイベントＩＤ１のコンサートにて、ユーザが画像撮影を行なった際の時刻情報が、図５に示す撮影条件ＩＤ１の時間帯に該当する場合には、図４に示すイベントＩＤ１の基準の値段である１００円に、図５に示す撮影条件ＩＤ１の係数０．８を掛け合わせた金額８０円を保存対象画像データに基づく撮影料とする。また、イベントＩＤ１のコンサートにて、ユーザが画像撮影を行なった際の通信端末装置１０の現在の位置情報と、図４に示すイベントＩＤ１が実施される位置情報とから算出された距離情報が、図５に示す撮影条件ＩＤ２の距離範囲である場合、すなわちイベント会場から通信端末装置１０の距離が２０ｍ以上離れている場合には、図４に示すイベントＩＤ１の基準の値段１００円に、図５に示す撮影条件ＩＤ２の係数０．５を掛け合わせた金額５０円を撮影料とする。さらに、上記２の撮影条件が満たされる場合には、図４に示すイベントＩＤ１の基準の値段１００円に、図５に示す撮影条件ＩＤ１及び２の係数０．８及び０．５を掛け合わせた金額４０円を撮影料とする。
【０１２８】
このように、サーバ装置３０は、撮影条件に応じて該画像の撮影料を変化させるために、通信端末装置１０から保存対象画像データと、ユーザが画像の撮影を行った時刻、ユーザが画像の撮影を行った位置、ユーザが画像の撮影を行った通信端末装置の向き、ユーザが画像の撮影を行った周囲の明るさなどの撮影条件に基づいて撮影料を算出することができるようになっている。
【０１２９】
撮影料金送信部３４４は、算出部３４３で算出した保存対象画像データに基づく撮影料の情報を、通信端末装置１０に送信する。
【０１３０】
課金処理部３４５は、保存部３４２が保存対象画像データをアクセス不可領域３３４からアクセス可能領域３３３に転送して記録した場合に、撮影料をユーザに対して課金する課金処理を行う。課金処理は、例えば、保存対象画像データをアクセス可能領域３３３に保存する度にユーザに対して従量的に課金する。
【０１３１】
［４］通信システムの動作
次に、図６及び図７を用いて本実施形態の通信システムにおいて実行される具体的な処理について説明する。なお、図６及び図７は、通信システム１において実行される各処理を示すフローチャートである。
【０１３２】
この処理に先立って、各ユーザは、ＳＮＳの利用登録済みの状態、すなわち、会員ＤＢ３３１に各種の情報が登録済みの状態になっているものとする。ＳＮＳへの利用登録方法は、従来のＳＮＳと何ら変わらないので、説明を省略する。また、この処理に先立って、ユーザの通信端末装置１０は、ＳＮＳへのログインしているものとする。
【０１３３】
本動作において、通信端末装置１０の端末データ処理部１４０は、ユーザによる画像撮影指示の入力が操作部１７０に対してなされるのを待機しているものとする。
【０１３４】
まず、ユーザによる画像撮影指示の入力待機状態において、端末データ処理部１４０は、操作部１７０に対するユーザ操作に基づいて画像撮影指示を検出すると（ステップＳ１００）、撮像部１３０を制御して画像撮影を実行し、画像撮影された画像データを保存対象画像データとして生成する（ステップＳ１０１）。
【０１３５】
次いで、端末データ処理部１４０は、生成した保存対象画像データを記録部１００における画像データ記録部１０２のアクセス不可領域１０４に記録する（ステップＳ１０２）。
【０１３６】
次いで、端末データ処理部１４０は、保存対象画像を撮影した際の撮影条件を示す撮影条件情報を取得する（ステップＳ１０３）。
【０１３７】
なお、撮影条件情報には、上述のように、ユーザが撮影した際の時刻情報、現在位置検出部１２０が算出した、ユーザが撮影した際の通信端末装置１０の現実空間上の位置情報、角度検出部１３５が計測した、ユーザが撮影した際の通信端末装置１０の向き（傾き）の情報、算出部１４２が算出した、ユーザが撮影した際の周囲の明るさ情報が含まれる。
【０１３８】
次いで、画像データ処理部１４３は、ネットワーク通信部１１０を制御して、保存対象画像データ及び撮影条件情報をサーバ装置３０に送信する（ステップＳ１０４）。このとき、端末データ処理部１４０は、サーバ装置３０からのデータ受信を待機する状態に移行する。
【０１３９】
次いで、サーバ装置３０においては、サーバデータ処理部３４０の受信部３４１が保存対象画像データ及び撮影条件情報等を受信すると（ステップＳ２００）、サーバデータ処理部３４０の保存部３４２は、当該保存対象画像データ及び撮影条件情報等を記録装置３３０における画像ＤＢ３３２のアクセス不可領域３３４に保存（記録）する（ステップＳ２０１）。
【０１４０】
次いで、サーバデータ処理部３４０の算出部３４３は、受信部３４１が受信した撮影条件情報から撮影条件を取得する（スッテプＳ２０２）。そして、算出部３４３は、撮影料金算定基準ＤＢ３３６からイベント情報と、イベントでの各種撮影条件に対する算定基準を示すデータとを読み出し、上述のように、イベント情報と、イベントでの各種撮影条件に対する算定基準に基づいて保存対象画像の撮影料を算出する（ステップＳ２０３）。
【０１４１】
次いで撮影料金送信部３４４は、算出部３４３で算出された撮影料の情報を通信端末装置１０に送信する（ステップＳ２０４）。このとき、サーバ管理制御部３５０は、通信端末装置１０からのデータ受信を待機する状態に移行する。
【０１４２】
次いで、通信端末装置１０においては、端末データ処理部１４０が、ネットワーク通信部１１０を介してサーバ装置３０から撮影料の情報を受信すると（ステップＳ１０５）、表示制御部１６０は、保存対象画像と撮影料を示す表示データを作成し、その表示データを表示部１５０に表示させる（ステップＳ１０６）。
【０１４３】
次いで、表示制御部１６０は、保存対象画像データにおける保存の可否を選択するための選択画面データを作成し、その画面データを表示部１５０に表示させる（ステップＳ１０７）。
【０１４４】
なお、本実施形態においては、ステップＳ１０６及びＳ１０７の処理において、保存対象画像と撮影料を示す表示データ、及び保存対象画像データの保存の可否を選択するための選択画面データを異なるタイミングで別々に表示させているが、一緒に（すなわち、同時に）表示させてもよい。
【０１４５】
次いで、端末データ処理部１４０は、操作部１７０に対するユーザの操作に基づいて保存の許可の選択入力を検出しつつ、選択されたユーザ指示が保存許可であるか否かを判定する（ステップＳ１０８）。このとき、端末データ処理部１４０は、操作部１７０に選択されたユーザ指示が保存許可であると判定した場合には、ステップＳ１０９の処理に移行し、操作部１７０に選択されたユーザ指示が保存不許可であると判定した場合には、ステップＳ１１０の処理に移行する。
【０１４６】
端末データ処理部１４０は、操作部１７０で選択されたユーザ指示が保存許可であると判定した場合には、ネットワーク通信部１１０を介してサーバ装置３０に保存許可指示を送信する（ステップＳ１０９）。このとき、端末データ処理部１４０は、サーバ装置３０からのデータ受信を待機する状態に移行する。
【０１４７】
一方、端末データ処理部１４０は、操作部１７０で選択されたユーザ指示が保存不許可であると判定した場合、すなわち、ユーザの操作部１７０の入力によって保存の不許可の選択入力を検出した場合には、ネットワーク通信部１１０を介してサーバ装置３０に保存不許可指示を送信する（ステップＳ１１０）。このとき、端末データ処理部１４０は、サーバ装置３０からのデータ受信を待機する状態に移行する。
【０１４８】
次いで、サーバ装置３０において、受信部３４１が、通信制御部３１０を介して通信端末装置１０から保存許可指示を受信すると（ステップＳ２０５）、保存部３４２は、アクセス不可領域３３４に記録されている保存対象画像データをアクセス可能領域３３３に転送し、保存する（ステップＳ２０６）。
【０１４９】
次いで、保存部３４２は、アクセス不可領域３３４に記録されている保存対象画像データを削除する（ステップＳ２０７）。
【０１５０】
次いで、課金処理部３４５は、アクセス可能領域３３３に保存した保存対象画像データに基づく撮影料をユーザに対して従量的に課金する（ステップＳ２０８）。
次いで、保存部３４２は、通信端末装置１０のアクセス不可領域１０４に記録された保存対象画像データを削除するための制御、例えば、保存対象画像データの削除要求の送信を実行し（ステップＳ２０９）、サーバ管理制御部３５０は、本動作を終了させる。
【０１５１】
次いで、通信端末装置１０においては、端末データ処理部１４０の画像データ処理部１４３は、サーバ装置３０から保存対象画像データの削除要求を受信すると（ステップＳ１１１）、アクセス不可領域１０４に記録された保存対象画像データを削除し（Ｓ１１２）、本動作を終了させる。
【０１５２】
一方、サーバ装置３０において、受信部３４１が、通信制御部３１０を介して通信端末装置１０から保存不許可指示を受信すると（ステップＳ２１０）、保存部３４２は、アクセス不可領域３３４に記録されている保存対象画像データを破棄（削除）する（ステップＳ２１１）。
【０１５３】
次いで、保存部３４２は、通信端末装置１０のアクセス不可領域１０４に記録された保存対象画像データを削除するための制御、例えば、保存対象画像データの削除要求の送信を実行し（ステップＳ２１２）、本動作を終了させる。
【０１５４】
次いで、端末データ処理部１４０は、サーバ装置３０から保存対象画像データの削除要求を受信すると（ステップＳ１１１）、アクセス不可領域１０４に記録された保存対象画像データを削除する（ステップＳ１１２）。そして、端末データ処理部１４０は、本動作を終了させる。
【０１５５】
以上、本実施形態において、通信システム１及びサーバ装置３０は、ユーザが保存を希望する画像の撮影条件に応じて、該画像の撮影料を算出し、当該算出した撮影料をユーザに提供することができるので、イベントに参加するユーザが撮影対象を撮影する際の撮影条件に応じて当該撮影に関する撮影料を変化させることができる。したがって、通信システム１及びサーバ装置３０は、撮影対象からの遠近や撮影時の明るさ又は時間帯などの撮影条件に基づいて撮影料を変化させることができるので、適正な料金設定及び公正な課金等を実現することができるとともに、ユーザの不満を解消し、その満足度を向上させることができる。
【０１５６】
［５］変形例
［５．１］変形例１
上記実施形態においては、サーバ装置３０内に各ＤＢを設け、管理及び制御する構成としたが、各ＤＢの管理、制御主体となるコンピュータシステムは、各々、別個なコンピュータシステムによって稼働するようにしてもよい。
【０１５７】
［５．２］変形例２
上記実施形態においては、各種撮影条件、より具体的には、各イベントにおける内容別の時間帯、各イベントが実施される位置からの距離、対象物を撮影した場合の通信端末装置１０の向き（傾き）、対象物を撮影した際の周囲の明るさに対して撮影基準料金に掛け合わせる係数を予め設定しているが、これらの２以上の組み合わせ、例えば、図８に示すように、イベント会場の各位置における周囲の明るさ（例えば、画像の明るさ）とイベントが実施される位置（基準地点）からの距離を考慮した係数を予め設定してもよい。
【０１５８】
また、上記実施形態においては、撮影基準料金に掛け合わせる係数は、１以下の数値を設定しているが、イベントの内容、例えば、コンサートにおいては人気のミュージシャン出場する時間帯に応じて１以上の数値を設定してもよい。
【０１５９】
［５．３］変形例３
上記実施形態においては、通信端末装置１０の現在位置検出部１２０により、通信端末装置１０の現在の位置情報を取得しているが、イベントがコンサートやミュージカルのような座席が指定されており、ユーザが操作部１７０に対するユーザ操作に基づいて座席情報が入力された場合には、その座席情報を通信端末装置１０の位置情報として認識してもよい。
【０１６０】
［５．４］変形例４
上記実施形態においては、撮影料をユーザに提供する方法として、撮影料を通信端末装置１０の画面に表示させてユーザに提供しているが、撮影料をＳＮＳで掲示板に通知してユーザに提供してもよい。
【符号の説明】
【０１６１】
１  …  通信システム
１０  …  通信端末装置
２０  …  ネットワーク
３０  …  サーバ装置
４０  …  ＧＰＳ衛星
５０  …  決済サーバ装置
１００  …  記録部
１０１  …  アプリケーション記録部
１０２  …  画像データ記録部
１０４  …  アクセス不可領域
１１０  …  ネットワーク通信部
１２０  …  現在位置検出部
１３０  …  撮像部
１３５  …  角度検出部
１４０  …  端末データ処理部
１４１  …  画像データ生成部
１４２  …  算出部
１４３  …  画像データ処理部
１５０  …  表示部
１６０  …  表示制御部
１７０  …  操作部
１８０  …  端末管理制御部
３１０  …  通信制御部
３２０  …  ＲＯＭ／ＲＡＭ
３３０  …  記録装置
３３１  …  会員ＤＢ
３３２  …  画像ＤＢ
３３３  …  アクセス可能領域
３３４  …  アクセス不可領域
３３５  …  顧客情報ＤＢ
３３６  …  撮影料金算定基準ＤＢ
３４０  …  サーバデータ処理部
３４１  …  受信部
３４２  …  保存部
３４３  …  算出部
３４４  …  撮影料金送信部
３４５  …  課金処理部
３５０  …  サーバ管理制御部
【図１】
2015061183.tif 000004
【図２】
2015061183.tif 000005
【図３】
2015061183.tif 000006
【図４】
2015061183.tif 000007
【図５】
2015061183.tif 000008
【図６】
2015061183.tif 000009
【図７】
2015061183.tif 000010
【図８】
2015061183.tif 000011